(57)【特許請求の範囲】
【請求項１】
筐体内部に第１スピーカ部と第２スピーカ部とが並設して収容された携帯電話機におけるスピーカ部の取付構造であって、
前記筐体には、前記第１スピーカ部と前記第２スピーカ部とを仕切る第１隔壁と第２隔壁とが、それぞれ該第１スピーカ部の周方向と該第２スピーカ部の周方向とに沿って設けられており、
前記第１隔壁の内側に前記第１スピーカ部が設けられているとともに、前記第２隔壁の内側に前記第２スピーカ部が設けられ、
前記第１隔壁には、この第１隔壁の上端から突出する第１突出部が形成されているとともに、前記第２隔壁には、この第２隔壁の上端から突出する第２突出部が形成され、
前記筐体の内部に設けられるプリント基盤が前記第１スピーカ部と前記第２スピーカ部との背面側に取り付けられ、
前記第１突出部及び前記第２突出部が前記プリント基盤に当接することによって前記プリント基盤と前記第１スピーカ部との間に隙間が形成されるとともに前記プリント基盤と前記第２スピーカ部との間に隙間が形成されていることを特徴とする携帯電話機におけるスピーカ部の取付構造。
【請求項２】
請求項１記載の携帯電話機におけるスピーカ部の取付構造において、
前記第１スピーカ部及び前記第２スピーカ部のそれぞれには板バネ状の電極が設けられ、前記電極が前記プリント基盤に形成された電気回路に当接して前記プリント基盤により押圧されることを特徴とする携帯電話機におけるスピーカ部の取付構造。
【請求項３】
請求項１または２記載の携帯電話機におけるスピーカ部の取付構造において、
前記第１隔壁には、前記第１スピーカ部の外周部に係合して該第１スピーカ部の周方向の位置決めを行う第１係合部が形成されているとともに、
前記第２隔壁には、前記第２スピーカ部の外周部に係合して該第２スピーカ部の周方向の位置決めを行う第２係合部が形成されていることを特徴とする携帯電話機におけるスピーカ部の取付構造。
【請求項４】
請求項３記載の携帯電話機におけるスピーカ部の取付構造において、
前記第１隔壁の中央部から前記第１係合部に至る方向と、前記第２隔壁の中央部から前記第２係合部に至る方向と、が平行かつ同じ向きであることを特徴とする携帯電話機におけるスピーカ部の取付構造。
【請求項５】
請求項１〜４のいずれかに記載の携帯電話機におけるスピーカ部の取付構造において、
前記筐体には、この筐体と別体のスピーカホルダが取り付けられており、
このスピーカホルダが、前記第１隔壁と前記第２隔壁とを備えていることを特徴とする携帯電話機におけるスピーカ部の取付構造。
【発明の詳細な説明】
【０００１】
【発明の属する技術分野】
本発明は携帯電話機に係わり、詳細には携帯電話機におけるスピーカ部の取付構造に関する。
【０００２】
【従来の技術】
近年目覚しい勢いで開発されつつある携帯電話機は、その付加機能がますます搭載されつつある。この携帯電話機の筐体内部には、着信音等の音を発生させるスピーカ部が設けられているとともに、筐体にはスピーカ部から発生する音を外部に放出する放音孔が設けられている。
【０００３】
【発明が解決しようとする課題】
しかしながら、従来の携帯電話機においては、音を発生させるスピーカ部は携帯電話機の筐体内部に一つのみ設けられていたためにスピーカ部から発生する音にステレオ効果を得ることができなかったり、もしくは、ツインスピーカが搭載されていても、それぞれのスピーカ部から発生する音どうしが筐体内部で混ざってしまうことによって音がぼやけてしまい、その結果、ツインスピーカによるステレオ効果を十分に得ることができなかったりしていた。
【０００４】
本発明の課題は、ツインスピーカを搭載した場合に、それぞれのスピーカ部から発生する音を、これらが筐体内部で混ざることがないように外部に放出することにより、着信音等をステレオ感覚で良好に聴くことが可能となる、携帯電話機におけるスピーカ部の取付構造を提供することである。
【０００５】
【課題を解決するための手段】
請求項１記載の発明は、筐体内部に第１スピーカ部と第２スピーカ部とが並設して収容された携帯電話機におけるスピーカ部の取付構造であって、
前記筐体には、前記第１スピーカ部と前記第２スピーカ部とを仕切る第１隔壁と第２隔壁とが、それぞれ該第１スピーカ部の周方向と該第２スピーカ部の周方向とに沿って設けられており、
前記第１隔壁の内側に前記第１スピーカ部が設けられているとともに、前記第２隔壁の内側に前記第２スピーカ部が設けられ、
前記第１隔壁には、この第１隔壁の上端から突出する第１突出部が形成されているとともに、前記第２隔壁には、この第２隔壁の上端から突出する第２突出部が形成され、
前記筐体の内部に設けられるプリント基盤が前記第１スピーカ部と前記第２スピーカ部との背面側に取り付けられ、前記第１突出部及び前記第２突出部が前記プリント基盤に当接することによって前記プリント基盤と前記第１スピーカ部との間に隙間が形成されるとともに前記プリント基盤と前記第２スピーカ部との間に隙間が形成されていることを特徴としている。
【０００６】
請求項２記載の発明は、請求項１記載の携帯電話機におけるスピーカ部の取付構造において、
前記第１スピーカ部及び前記第２スピーカ部のそれぞれには板バネ状の電極が設けられ、前記電極が前記プリント基盤に形成された電気回路に当接して前記プリント基盤により押圧されることを特徴としている。
【０００７】
請求項３記載の発明は、請求項１または２記載の携帯電話機におけるスピーカ部の取付構造において、
前記第１隔壁には、前記第１スピーカ部の外周部に係合して該第１スピーカ部の周方向の位置決めを行う第１係合部が形成されているとともに、
前記第２隔壁には、前記第２スピーカ部の外周部に係合して該第２スピーカ部の周方向の位置決めを行う第２係合部が形成されていることを特徴としている。
【０００８】
請求項４記載の発明は、請求項３記載の携帯電話機におけるスピーカ部の取付構造において、
前記第１隔壁の中央部から前記第１係合部に至る方向と、前記第２隔壁の中央部から前記第２係合部に至る方向と、が平行かつ同じ向きであることを特徴としている。
【０００９】
請求項５記載の発明は、請求項１〜４のいずれかに記載の携帯電話機におけるスピーカ部の取付構造において、
前記筐体には、この筐体と別体のスピーカホルダが取り付けられており、
このスピーカホルダが、前記第１隔壁と前記第２隔壁とを備えていることを特徴としている。
【００１０】
【発明の実施の形態】
以下、図１〜図６を参照して、本発明に係る携帯電話機の実施の形態について詳細に説明する。
【００１１】
図１において符号１は、本発明に係る携帯電話機である。
本発明に係る携帯電話機１は、図１、図２に示すように、前面側に操作部２を備える本体１ａと前面側に表示部３を備える蓋体１ｂとが、それぞれの前面側が合わさるようにヒンジ部４を介して折り畳み可能に構成されている。なお、操作部２や表示部３については、周知技術と同様であるので説明を省略する。
なお、図１、図２において、符号５は電波を受信するアンテナであり、必要時に上方に伸張可能に本体１ａに収納されている。また、符号６はカメラのレンズであり、これを被写体に向けてデジタル写真を撮影することができる。
【００１２】
蓋体１ｂには、並設されるようにして、第１スピーカ部７ａと第２スピーカ部７ｂとが設けられている。また、蓋体１ｂの両側部には、第１スピーカ部７ａから発生する音を外部へ放出するための第１放音孔８ａと、第２スピーカ部７ｂから発生する音を外部へ放出するための第２放音孔８ｂと、が水平面に対して所定角度傾斜するようにして設けられている。さらに、蓋体１ｂの背面部には、着信時等に光が放出される、第１放光孔９ａと第２放光孔９ｂとが設けられている。
【００１３】
蓋体１ｂは、前面蓋体と、図３（ａ）に示す背面蓋体１ｂ１とが合わさるようにして形成され、背面蓋体１ｂ１には、スピーカホルダ１０が両面テープによって取り付けられている。スピーカホルダ１０は、円形状の第１隔壁１０ａと第２隔壁１０ｂ、さらに、この第１隔壁１０ａと第２隔壁１０ｂとに接続する第１光ガイド１０ｃと第２光ガイド１０ｄとによって概略構成され、全体が乳白色となっている。第１隔壁１０ａの内側と第２隔壁１０ｂの内側とには、第１スピーカ部７ａと第２スピーカ部７ｂとが設けられる。
【００１４】
スピーカホルダ１０には、図４、図５（ａ）、図５（ｂ）に示すように、側部に切り欠き１０ｅが形成されているとともに、中央部に孔１０ｆが形成されている。そして、切り欠き１０ｅや孔１０ｆと、背面蓋体１ｂ１に形成された図示しない突起とが係合することによって、スピーカホルダ１０の背面蓋体１ｂ１に対する位置が確定するようになっている。
【００１５】
また、スピーカホルダ１０には、第１スピーカ部７ａと第２スピーカ部７ｂとを仕切る第１隔壁１０ａと第２隔壁１０ｂとが、それぞれ第１スピーカ部７ａの周方向と第２スピーカ部７ｂの周方向とに沿って円形状に形成されており、この円形状の第１隔壁１０ａと第２隔壁１０ｂとは部分的に外接している。
【００１６】
円形状の第１隔壁１０ａには、この第１隔壁１０ａの上端から突出する第１突出部１０ａ１が、中央部を挟んで互いに対向する２ヶ所に形成されているとともに、円形状の第２隔壁１０ｂには、この第２隔壁１０ｂの上端から突出する第２突出部１０ｂ１が、中央部を挟んで互いに対向する２ヶ所に形成されている。さらに、第１突出部１０ａ１と第２突出部１０ｂ１の外側には、第１爪１０ａ２と第２爪１０ｂ２が形成されている。
【００１７】
また、円形状の第１隔壁１０ａと第２隔壁１０ｂとには、それぞれ第１切り欠き１０ａ３と第２切り欠き１０ｂ３とが形成されており、これら第１切り欠き１０ａ３と第２切り欠き１０ｂ３とは、第１隔壁１０ａの中央部から第１切り欠き１０ａ３に至る方向と、第２隔壁１０ｂの中央部から第２切り欠き１０ｂ３に至る方向と、が平行かつ同じ向きとなるようにして形成されている。
【００１８】
なお、第１スピーカ部７ａと第２スピーカ部７ｂとは、図６に示すように円盤状であり、外周部には、第１隔壁１０ａに形成された第１切り欠き１０ａ３と第２隔壁１０ｂに形成された第２切り欠き１０ｂ３とに係合する突起７ａ１、７ｂ１が形成されている。また、第１スピーカ部７ａや第２スピーカ部７ｂの内部側には、蓋体１ｂ内部に設けられるプリント基盤１１に形成された電気回路に当接する、板ばね状の電極（７ａ２、７ａ２）、（７ｂ２、７ｂ２）が設けられている。
【００１９】
なお、第１光ガイド１０ｃと第２光ガイド１０ｄとは、プリント基盤１１に設けられる発光ダイオードの光を、第１放光孔９ａと第２放光孔９ｂとに伝達して、第１放光孔９ａと第２放光孔９ｂとから外部に確実に放光させるために、これら第１方光孔９ａと第２放光孔９ｂとの形状に合わせて形成されている。また、図５（ｂ）に示すように、第１光ガイド１０ｃの第１隔壁１０ａとの接続部と第２光ガイド１０の第２隔壁１０ｂとの接続部１０ｃ１（１０ｄ１）においては、背面蓋体１ｂ側が丸みを帯びるように形成されている。この丸みによって、発光ダイオードの光を、第１光ガイド１０ｃが延設されない第１スピーカ部７ａ近傍に位置する第１放光孔９ａ１と、第２光ガイド１０ｄが延設されない第２スピーカ部７ｂ近傍に位置する第２放光孔９ｂ１と、からも確実に放光させることができる。
【００２０】
蓋体１ｂ内部に第１スピーカ部７ａと第２スピーカ部７ｂとを設ける場合には、以下のようにして行う。先ず、スピーカホルダ１０の裏面全周に両面テープを貼り付け、スピーカホルダ１０を背面蓋体１ｂ１に取り付ける。次に、スピーカホルダ１０の第１隔壁１０ａの内側と第２隔壁１０ｂの内側とに、それぞれ第１スピーカ部７ａと第２スピーカ部７ｂとを収容する。この際、第１スピーカ部７ａと第２スピーカ部７ｂとに設けられている突起７ａ１、７ｂ１とが、それぞれ、第１隔壁１０ａに形成された第１切り欠き１０ａ３と第２隔壁１０ｂに形成された第２切り欠き１０ｂ３とに係合するようにする。次に、第１スピーカ部７ａと第２スピーカ部７ｂの背面側から、これら第１スピーカ部７ａと第２スピーカ部７ｂとをスピーカホルダ１０に押え付けるための、図示しないコ字状の押え部材を、その両端部が、第１隔壁に形成された第１爪と第２隔壁に形成された第２爪とに係合するようにして設ける。
【００２１】
その後、第１スピーカ部７ａと第２スピーカ部７ｂとの背面側にプリント基盤１１を取り付ける。この際、プリント基盤１１は、第１隔壁１０ａに形成された第１突出部１０ａ１と第２隔壁１０ｂに形成された第２突出部１０ｂ１とに当接し、かつ、第１スピーカ部７ａと第２スピーカ部７ｂとに設けられた板ばね状の電極（７ａ２、７ａ２）、（７ｂ２、７ｂ２）を押圧するようにして設けられる。この結果、プリント基盤１１と第１スピーカ部７ａや第２スピーカ部７ｂとの間には、図５（ｃ）に示すような隙間１２が形成される。これにより、第１スピーカ部７ａや第２スピーカ部７ｂ周辺部の通気性が確保され、第１スピーカ部７ａや第２スピーカ部７ｂの振動板が振動しやすくなる。
【００２２】
第１スピーカ部７ａと第２スピーカ部７ｂとを蓋体１ｂに取り付けた状態を切断面で見ると、図３（ｂ）のようになる。このように配設された第１スピーカ部７ａと第２スピーカ部７ｂとから、背面蓋体１ｂ１方向に発生した音は、第１放音孔８ａと第２放音孔８ｂとから外部に放出されて放射状に拡散する。この際、第１隔壁１０ａ１と第２隔壁１０ｂ１とによって、第１スピーカ部７ａから発生する音と第２スピーカ部７ｂから発生する音とが、蓋体１ｂ内部に漏れて互いに混ざることが防止される。これにより、ツインスピーカによるステレオ効果を良好に得ることができる。
【００２３】
本実施の形態によれば、以下のような効果を得ることが可能である。
【００２４】
▲１▼背面蓋体１ｂ１には、第１スピーカ部７ａと第２スピーカ部７ｂとを仕切る第１隔壁１０ａと第２隔壁１０ｂとが、それぞれ該第１スピーカ部７ａの周方向と該第２スピーカ部７ｂの周方向とに沿って設けられている。そして、第１隔壁１０ａの内側に第１スピーカ部７ａが設けられているとともに、第２隔壁１０ｂの内側に第２スピーカ部７ｂが設けられている。これにより、第１スピーカ部７ａから発生する音と第２スピーカ部７ｂから発生する音とが、蓋体１ｂ内部に漏れて互いに混ざることが防止される。そして、第１スピーカ部７ａから発生した音と第２スピーカ部７ｂから発生した音とは、蓋体１ｂの両側部に形成された第１放音孔８ａと第２放音孔８ｂとから放出される。したがって、ツインスピーカによるステレオ効果を良好に得て、臨場感のある音を聴くことが可能となる。
【００２５】
▲２▼第１隔壁１０ａには、この第１隔壁１０ａの上端から突出する第１突出部１０ａ１が形成されているとともに、第２隔壁１０ｂには、この第２隔壁１０ｂの上端から突出する第２突出部１０ｂ１が形成されている。これにより、蓋体１ｂ内部に設けられるプリント基盤１１と第１スピーカ部７ａや第２スピーカ部７ｂとの間には隙間１２が形成される。この隙間１２によって、第１スピーカ部７ａと第２スピーカ部７ｂの振動板が振動しやすくなるとともに、第１スピーカ部７ａと第２スピーカ部７ｂとから音が発生した場合には、隙間１２がバックキャビティとして作用する。したがって、第１スピーカ部７ａと第２スピーカ部７ｂとから発生する音の低音領域を強化させながら、さらに臨場感のある音を聴くことが可能となる。
【００２６】
▲３▼第１隔壁１０ａには、第１スピーカ部７ａの外周部に形成された突起７ａ１に係合する第１切り欠き１０ａ２が形成されているとともに、第２隔壁１０ｂには、第２スピーカ部７ｂの外周部に形成された突起７ｂ１に係合する第２切り欠き１０ｂ２が形成されている。そして、第１スピーカ部７ａと第２スピーカ部７ｂとをスピーカホルダ１０に取り付ける際には、第１切り欠き１０ａ２や第２切り欠き１０ｂ２と突起７ａ１、７ｂ１とを係合させることにより容易に位置決めが行われるため、生産性が向上する。
【００２７】
さらに、これらの第１切り欠き１０ａ２と第２切り欠き１０ｂ２とは、第１隔壁１０ａの中央部から第１切り欠き１０ａ２に至る方向と、第２隔壁１０ｂの中央部から第２切り欠き１０ｂ２に至る方向と、が平行かつ同じ向きとなるようにして形成されている。このため、第１隔壁１０ａの内側と第２隔壁１０ｂの内側とにそれぞれ設けられる第１スピーカ部７ａと第２スピーカ部７ｂとを同一とすることができるため、生産コストを低減するともに取付け作業時におけるミスを低減することができる。
【００２８】
▲４▼スピーカホルダ１０は背面蓋体１ｂ１と別体となっており、スピーカホルダ１０を、本実施の形態のように、乳白色の第１光ガイド１０ｃ、第２光ガイド１０ｄと一体に、かつ、乳白色に構成しておくことで、このスピーカホルダ１０は第１光ガイド１０ｃ、第２光ガイド１０ｄの作用を助成する。すなわち、着信等を報知する光等を、第１放光孔９ａと第２放光孔９ｂとから、より良好に放出することができる。
【００２９】
なお、本実施の形態は、種々の設計変更が可能である。
例えば、本実施の形態においては、図３（ａ）等に示すように、背面蓋体１ｂ１に、この背面蓋体１ｂ１と別体のスピーカホルダ１０が取り付けられており、このスピーカホルダ１０が、第１隔壁１０ａと第２隔壁１０ｂとを備えている。しかし例えば、第１隔壁１０ａや第２隔壁１０ｂ等が背面蓋体１ｂ１に一体に形成されていてもよい。この場合においても、前記した本実施の形態における▲１▼〜▲４▼と同様の効果を得ることができることは勿論である。
【００３０】
【発明の効果】
以上、本発明によれば、前記筐体には、前記第１スピーカ部と前記第２スピーカ部とを仕切る第１隔壁と第２隔壁とが、それぞれ該第１スピーカ部の周方向と該第２スピーカ部の周方向とに沿って設けられている。そして、前記第１隔壁の内側に前記第１スピーカ部が設けられているとともに、前記第２隔壁の内側に前記第２スピーカ部が設けられている。これにより、前記第１スピーカ部から発生する音と前記第２スピーカ部から発生する音とが、前記筐体内部に漏れて互いに混ざることが防止される。したがって、ツインスピーカによるステレオ効果を良好に得て、臨場感のある音を聴くことが可能となる。
【００３１】
【図面の簡単な説明】
【図１】開かれた状態の、本発明に係る携帯電話機を示す、（ａ）は正面図、（ｂ）は側面図である。
【図２】折り畳まれた状態の、本発明に係る携帯電話機を示す、（ａ）は正面図、（ｂ）は側面図である。
【図３】本発明に係る携帯電話機において、（ａ）は蓋体に取り付けられているスピーカホルダを示す図であり、（ｂ）は蓋体内部に収容された第１スピーカ部と第２スピーカ部とを示す図である。
【図４】本発明に係る携帯電話機のスピーカホルダを示す図である。
【図５】本発明に係る携帯電話機のスピーカホルダの、（ａ）は平面図、（ｂ）は側面図、（ｃ）はプリント基盤を含む断面図である。
【図６】本発明に係る携帯電話機における第１スピーカ部と第２スピーカ部の、（ａ）は平面図、（ｂ）はスピーカホルダを含む断面図である。
【符号の説明】
１        携帯電話機
１ａ      本体
１ｂ      蓋体
１ｂ１    背面蓋体
２        操作部
３        表示部
４        ヒンジ部
７ａ      第１スピーカ部
７ｂ      第２スピーカ部
８ａ      第１放音孔
８ｂ      第２放音孔
１０        スピーカホルダ
１０ａ      第１隔壁
１０ａ１    第１突出部
１０ａ３    第１切り欠き
１０ｂ      第２隔壁
１０ｂ１    第２突出部
１０ｂ３    第２切り欠き
１２        隙間
【図１】
0004112848.tif 000002
【図２】
0004112848.tif 000003
【図３】
0004112848.tif 000004
【図４】
0004112848.tif 000005
【図５】
0004112848.tif 000006
【図６】
0004112848.tif 000007